(57)【要約】【課題】電波の発信が禁止されている場所でのＧＰＳモジュールによる情報取得を制限すること。【解決手段】サブＣＰＵ１０７は、ＧＰＳ情報の更新方法が「自動」に設定されている場合には、通信禁止電波を受信している間は、ＧＰＳモジュール１１０への電源供給を禁止することによって、ＧＰＳモジュール１１０の電源オンを禁止する。【選択図】図１
2010278881.tif 000002
【特許請求の範囲】
【請求項１】
ＧＰＳ情報を取得するＧＰＳ情報取得手段と、
前記ＧＰＳ情報取得手段によるＧＰＳ情報の取得を禁止することを通知する禁止電波を受信する受信手段と、
前記受信手段が前記禁止電波を受信している間は、前記ＧＰＳ情報取得手段への電源供給を禁止する電源制御手段とを備えることを特徴とする電子機器。
【請求項２】
ＧＰＳ情報を取得するＧＰＳ情報取得手段と、
前記ＧＰＳ情報取得手段によるＧＰＳ情報の取得を禁止する期間を設定する設定手段と、
前記設定手段で設定された期間は、前記ＧＰＳ情報取得手段への電源供給を禁止する電源制御手段とを備えることを特徴とする電子機器。
【請求項３】
請求項１または２に記載の電子機器において、
前記ＧＰＳ情報取得手段は、前記電子機器の電源がオフされているときに、定期的に電源供給を受けて前記ＧＰＳ情報を取得するものであり、
前記電源制御手段は、前記電子機器の電源がオフされている間に前記電源供給の禁止を行うことを特徴とする電子機器。
【請求項４】
請求項１または２に記載の電子機器において、
前記電子機器の電源をオンまたはオフする操作部材をさらに備え、
前記電源制御手段は、使用者によって前記操作部材が操作されて前記電子機器の電源がオンされた場合には、前記ＧＰＳ情報取得手段への電源供給を禁止している間は、前記ＧＰＳ情報取得手段以外の動作手段への電源供給を開始することによって、前記電子機器を動作させることを特徴とする電子機器。
【発明の詳細な説明】
【技術分野】
【０００１】
本発明は、電子機器に関する。
【背景技術】
【０００２】
次のような携帯型無線通信装置が知られている。この携帯型無線通信装置は、駅の位置情報とＧＰＳ情報とに基づいてユーザが列車に乗車していることを検出した場合には、装置のモードをマナーモード、電波送出禁止モード、電源オフ等の列車移動モードに切り替える（例えば、特許文献１）。
【先行技術文献】
【特許文献】
【０００３】
【特許文献１】特開２００２−３００６３２号公報
【発明の概要】
【発明が解決しようとする課題】
【０００４】
しかしながら、従来の装置では、ユーザが列車に乗車していることを検出するためにＧＰＳ情報を用いることから、ＧＰＳ情報を取得するためのＧＰＳ通信が必要であり、ＧＰＳ通信時に送受信される電波によって周囲に悪影響を及ぼす可能性があった。
【課題を解決するための手段】
【０００５】
本発明による電子機器は、ＧＰＳ情報を取得するＧＰＳ情報取得手段と、ＧＰＳ情報取得手段によるＧＰＳ情報の取得を禁止することを通知する禁止電波を受信する受信手段と、受信手段が禁止電波を受信している間は、ＧＰＳ情報取得手段への電源供給を禁止する電源制御手段とを備えることを特徴とする。
本発明による電子機器はまた、ＧＰＳ情報を取得するＧＰＳ情報取得手段と、ＧＰＳ情報取得手段によるＧＰＳ情報の取得を禁止する期間を設定する設定手段と、設定手段で設定された期間は、ＧＰＳ情報取得手段への電源供給を禁止する電源制御手段とを備えることを特徴とする。
本発明では、ＧＰＳ情報取得手段は、電子機器の電源がオフされているときに、定期的に電源供給を受けて前記ＧＰＳ情報を取得するものであり、電源制御手段は、電子機器の電源がオフされている間に電源供給の禁止を行うようにしてもよい。
電子機器の電源をオンまたはオフする操作部材をさらに備え、電源制御手段は、使用者によって操作部材が操作されて電子機器の電源がオンされた場合には、ＧＰＳ情報取得手段への電源供給を禁止している間は、ＧＰＳ情報取得手段以外の動作手段への電源供給を開始することによって、電子機器を動作させるようにしてもよい。
【発明の効果】
【０００６】
本発明によれば、ＧＰＳ通信時に送受信される電波によって周囲に悪影響を及ぼすことはない。
【図面の簡単な説明】
【０００７】
【図１】カメラの一実施の形態の構成を示すブロック図である。
【図２】ＧＰＳ設定を行うためのメニューの構造を模式的に示した図である。
【図３】ＧＰＳ情報更新処理の流れを示すフローチャート図である。
【図４】電源オフフラグ設定処理の流れを示すフローチャート図である。
【発明を実施するための形態】
【０００８】
図１は、本実施の形態におけるカメラの一実施の形態を示すブロック図である。カメラ１００は、レンズ１０１と、ＣＣＤ１０２と、ＡＥＦ／ＴＧ１０３と、メインＣＰＵ１０４と、メモリ１０５と、表示部１０６と、サブＣＰＵ１０７と、操作部材１０８と、電源回路１０９と、ＧＰＳモジュール１１０と、無線受信回路１１１とを備えている。
【０００９】
レンズ１０１は、複数の光学レンズから構成されるが、図１では代表して１枚のレンズで表している。ＣＣＤ１０２は、レンズ１０１により結像した被写体像を撮像し、ＡＥＦ／ＴＧ１０３へ画像信号を出力する。なお、本実施の形態におけるカメラ１００では、撮像素子としてＣＣＤ１０２を用いる例について説明するが、ＣＭＯＳ等の他のイメージセンサを撮像素子として用いてもよい。ＡＥＦ／ＴＧ１０３は、ＣＣＤ１０２から入力される画像信号に基づいて、自動露出制御（ＡＥ）、自動焦点調節（ＡＦ）および撮像タイミングの制御（ＴＧ）を行う。
【００１０】
メインＣＰＵ１０４は、カメラ１００の全体を制御するための種々の処理を実行する。例えば、撮影処理や画像再生処理等を実行する。メモリ１０５は、フラッシュメモリやＳＤＲＡＭ等の内蔵メモリと、メモリカード等の外部メモリを含む。表示部１０６は、例えば、カメラ１００の背面に搭載された液晶モニタである。
【００１１】
サブＣＰＵ１０７は、操作部材１０８からの入力信号を検出したり、電源回路１０９から各部への電源供給を制御したりする。なお、操作部材１０８は、電源ボタン、シャッターボタン、メニューボタン、十字キー、決定ボタン等の種々のボタンやスイッチを含む。また、電源回路１０９は、バッテリーからカメラ１００を構成する各部へ電源を供給する。
【００１２】
サブＣＰＵ１０７はまた、ＧＰＳモジュール１１０、および無線受信回路１１１を制御する。ＧＰＳモジュール１１０は、ＧＰＳ通信を行って、現在の位置情報（ＧＰＳ情報）を取得する。取得したＧＰＳ情報は、メモリ１０５に記録される。メインＣＰＵ１０４は、画像ファイルのヘッダ情報に撮影地点のＧＰＳ情報を付加することによって、画像と撮影地点のＧＰＳ情報とを関連付ける。
【００１３】
本実施の形態におけるカメラ１００では、使用者は、メニュー画面上でＧＰＳ機能に関する設定（ＧＰＳ設定）を行うことができる。なお、メニュー画面は、メインＣＰＵ１０４によって表示部１０６に表示され、使用者は、操作部材１０８を操作して、各設定項目についての設定を変更することができる。
【００１４】
図２は、ＧＰＳ設定を行うためのメニューの構造を模式的に示した図である。メニューは階層構造となっており、使用者は、メニュー画面上から「ＧＰＳ設定」２ａを選択することにより、「ＧＰＳ設定」２ａの下位階層の設定項目について設定を行うことができる。例えば、使用者は、「位置情報記録機能」２ｂを選択して、画像ファイルに撮影地点の位置情報を記録する（ＯＮ）と記録しない（ＯＦＦ）とのいずれかを選択して設定することができる。また、使用者は、「記録有効時間」２ｃを選択して、取得しメモリ１０５に記録された最後のＧＰＳ情報について、有効な情報とみなす時間（１５秒以内、３０秒以内等）を設定することができる。
【００１５】
本実施の形態におけるカメラ１００では、「位置情報記録機能」２ｂが「ＯＮ」に設定されている場合には、ＧＰＳモジュール１１０は、一定時間ごとに自動起動してＧＰＳ衛星とＧＰＳ通信を行い、最新のＧＰＳ情報を取得して、メモリ１０５内のＧＰＳ情報を更新する。これによって、常に最新のＧＰＳ情報が画像ファイルに記録されることになる。しかしながら、後述するように「ＧＰＳ情報更新設定」２ｆで「しない」に設定されている場合、後述するようにＧＰＳ通信が禁止されている場所である場合、または何らかの事情によりＧＰＳ衛星との通信ができない場合には、メモリ１０５内のＧＰＳ情報は更新されない。
【００１６】
この場合、ＧＰＳ情報が最後に取得された時点から「記録有効時間」２ｃで設定されている時間内に撮影が行われた場合には、メモリ１０５に記録されているＧＰＳ情報が画像ファイルに記録される。一方、ＧＰＳ情報が最後に取得された時点から「記録有効時間」２ｃで設定された時間経過後に撮影が行われた場合には、メモリ１０５にＧＰＳ情報が記録されていない、又はメモリ１０５にＧＰＳ情報が残っていても更新されていない無効な状態であるとみなし、その間に撮影が行われても画像ファイルにＧＰＳ情報は記録されない。
【００１７】
上述したように、原則としては、ＧＰＳモジュール１１０は、一定時間間隔でＧＰＳ衛星と通信を行って最新のＧＰＳ情報を取得するが、使用者は、「位置情報更新」２ｄを選択して、「する」を選択することによって、手動でメモリ１０５内のＧＰＳ情報を更新することができる。一方、使用者は、「位置情報更新」２ｄを選択した後、手動更新を行なわずに上位のメニュー階層に戻る場合には「しない」を選択する。
【００１８】
また、使用者は、「日時合わせ」２ｅを選択して、「する」を選択することによって、ＧＰＳ衛星から受信した電波を使って、カメラ１００の時刻合わせを行うように指示することができる。一方、使用者は、「日時合わせ」２ｅを選択した後、時刻合わせを行なわずに上位のメニュー階層に戻る場合には「しない」を選択する。
【００１９】
さらに本実施の形態におけるカメラ１００では、使用者は、「ＧＰＳ情報更新設定」２ｆを選択することによって、カメラ１００の電源がオフされている間の上述したＧＰＳ情報の自動更新に関する設定を行うことができる。具体的には、ＧＰＳ情報の自動更新を「する」か「しない」かを設定することができる。「しない」に設定した場合には、カメラ１００の電源オフ中に上述したＧＰＳ情報の自動更新を行なわない。これに対して、「する」に設定した場合には、使用者は、さらにカメラ１００の電源オフ中のＧＰＳ情報の自動更新を禁止する方法を「手動」または「自動」のいずれにするかを設定することができる。
【００２０】
例えば、飛行機の機内や病院内など、電波を発信すると周囲に悪影響を及ぼす可能性がある場所では、電波の発信が禁止されている場合が多い。このような場所においては、カメラ１００の電源がオフである場合に、一定時間ごとにＧＰＳモジュール１１０を起動してＧＰＳ情報の更新を自動的に行なうと、ＧＰＳモジュール１１０がＧＰＳ通信の際に発する電波によって周囲に悪影響を及ぼす可能性がある。このため、電波の発信が禁止されている場所では、カメラ１００の電源オフ中にＧＰＳモジュール１１０が自動的にＧＰＳ衛星と通信を行うことを停止しなければならない。
【００２１】
そこで、本実施の形態におけるカメラ１００では、使用者は、電波を発信が禁止されている場所での滞在時間があらかじめわかっている場合には、ＧＰＳ情報の自動更新を禁止する方法として「手動」を選択し、「禁止時間設定」によりＧＰＳ情報の自動更新を禁止する時間帯（例えば、１０：１５〜１８：１５）を任意に設定する。サブＣＰＵ１０７は、カメラ１００の電源オフ中にも電源回路１０９から電力供給を受けて動作しており、上記設定された時間内は、ＧＰＳモジュール１１０への電源供給を停止して、ＧＰＳモジュール１１０がカメラ１００の電源オフ中にＧＰＳ情報取得のために自動的にＧＰＳ衛星と通信しないようにする。
【００２２】
一方、使用者は、ＧＰＳ情報の自動更新を禁止する方法として「自動」を選択することにより、電波の発信が禁止されている場所を自動的に検出し、カメラ１００が電波の発信が禁止されている場所にいる間は、カメラ１００の電源オフ中はＧＰＳモジュール１１０の電源オンを禁止するように設定することができる。例えば、飛行機の機内や病院内などの電波の発信が禁止されている場所では、電波を発信してはいけないことを示す通信禁止電波が常時発信されているものとする。なお、この通信禁止電波は、電波の発信が禁止されている場所で発信されるものであるから、通信禁止電波自体がその周囲へ悪影響を及ぼさないような周波数の電波が発信される。
【００２３】
サブＣＰＵ１０７は、カメラ１００の電源オフ中も無線受信回路１１１に対して電源供給を継続して動作させることにより、無線受信回路１１１は、カメラ１００の電源オフ中にも当該通信禁止電波を受信することができる。なお、無線受信回路１１１は、電波受信専用で外部に電波を発信しないため、電波の発信が禁止されている場所で通信禁止電波の受信を待ち受けるために電源が投入されていても周囲に悪影響を及ぼすことはない。
【００２４】
この場合、サブＣＰＵ１０７は、カメラ１００の電源オフ中に一定時間間隔で無線受信回路１１１による通信禁止電波の受信の有無を確認し、無線受信回路１１１を介して通信禁止電波を受信したことを検出している間は、電源回路１０９からのＧＰＳモジュール１１０への電源供給を停止することによって、ＧＰＳモジュール１１０の電源オンを禁止する。これによって、電波の発信が禁止されている場所では、ＧＰＳモジュール１１０が自動的に起動してＧＰＳ通信を行うことを防ぐことができる。
【００２５】
一方、サブＣＰＵ１０７は、無線受信回路１１１が通信禁止電波を受信しなくなった場合には、カメラ１００は通信が禁止されている場所から離れたと判定して、ＧＰＳモジュール１１０の電源オンを許可する。これによって、電波の発信が禁止されていない場所では、ＧＰＳモジュール１１０は、カメラ１００の電源オフ中であっても一定時間ごとに自動起動して、ＧＰＳ情報の更新を行なうことができる。
【００２６】
図３は、本実施の形態におけるＧＰＳ情報更新処理の流れを示すフローチャートである。図３に示す処理は、サブＣＰＵ１０７によって実行される。なお、サブＣＰＵ１０７は、カメラ１００の電源がオフされている間も起動しており、図３に示す処理を実行することができる。
【００２７】
ステップＳ１０において、サブＣＰＵ１０７は、ＧＰＳ通信がタイムアウトした回数を数えるためのカウンタを初期化する。ここでは、カウンタのカウント値を初期値である０にリセットし、後述するステップＳ１１０においてカウントアップされる。その後、ステップＳ２０へ進み、サブＣＰＵ１０７は、図４で後述する電源オフフラグ設定処理を実行した後、ステップＳ３０へ進む。
【００２８】
ステップＳ３０では、サブＣＰＵ１０７は、ステップＳ２０での処理の結果、電源オフフラグがセットされたか否かを判断する。ステップＳ３０で肯定判断した場合には、ステップＳ１３０へ進み、サブＣＰＵ１０７は、ＧＰＳモジュール１１０への電源の供給を禁止することによって、ＧＰＳモジュール１１０の電源をオフした後、処理を終了する。これに対して、ステップＳ３０で否定判断した場合には、ステップＳ４０へ進む。
【００２９】
ステップＳ４０では、サブＣＰＵ１０７は、カメラ１００の電源がオフされたか否かを判断する。ステップＳ４０で否定判断した場合には、ステップＳ２０へ戻って処理を繰り返す。これに対して、ステップＳ４０で肯定判断した場合には、ステップＳ５０へ進む。ステップＳ５０では、サブＣＰＵ１０７は、図２に示したメニュー項目のＧＰＳ情報更新設定２ｆが「する」に設定されているか否かを判断する。ステップＳ５０で否定判断した場合には、ＧＰＳ情報の自動更新を行わないため、ステップＳ１３０へ進み、サブＣＰＵ１０７は、ＧＰＳモジュール１１０への電源の供給を禁止することによって、ＧＰＳモジュール１１０の電源をオフした後、処理を終了する。これに対して、ステップＳ５０で肯定判断した場合には、ステップＳ６０へ進む。
【００３０】
ステップＳ６０では、サブＣＰＵ１０７は、ＧＰＳ情報の更新間隔として設定されている時間が経過したか否かを判断する。例えば、カメラ１００において、カメラ１００の電源オフ中はＧＰＳ通信を２時間間隔で行ってＧＰＳ情報を更新するように設定されている場合には、前回のＧＰＳ情報の更新から２時間以上が経過すると、ステップＳ６０で肯定判断される。なお、前回のＧＰＳ情報の更新からの経過時間は、サブＣＰＵ１０７がタイマにより計時するものとする。ステップＳ６０で否定判断した場合には、ステップＳ２０へ戻る。これに対して、ステップＳ６０で肯定判断した場合には、ステップＳ７０へ進む。
【００３１】
ステップＳ７０では、サブＣＰＵ１０７は、上述したカウンタによるカウント回数が所定回数に到達したか否かを判断する。ステップＳ７０で肯定判断した場合には、ステップＳ１３０へ進み、サブＣＰＵ１０７は、ＧＰＳモジュール１１０への電源の供給を停止することによって、ＧＰＳモジュール１１０の電源をオフした後、処理を終了する。例えば、ＧＰＳ通信のタイムアウト回数が所定回数、例えば７回続いた場合には、カメラ１００はＧＰＳ衛星との通信ができない場所にある可能性があるため、ＧＰＳ情報の自動更新を強制的に終了させるためにこの処理を行う。これに対して、ステップＳ７０で否定判断した場合には、ステップＳ８０へ進む。
【００３２】
ステップＳ８０では、サブＣＰＵ１０７は、電源回路１０９からＧＰＳモジュール１１０への電源供給を開始して、ＧＰＳモジュール１１０を起動する。これによって、ＧＰＳモジュール１１０は、ＧＰＳ衛星と通信してＧＰＳ情報の取得を行う。その後、ステップＳ９０へ進み、サブＣＰＵ１０７は、ＧＰＳモジュール１１０がＧＰＳ情報を取得したか否かを判断する。ステップＳ９０で肯定判断した場合には、ステップＳ１２０へ進み、サブＣＰＵ１０７は、ＧＰＳモジュール１１０が取得したＧＰＳ情報でメモリ１０５に記録されているＧＰＳ情報を更新する。これに対して、ステップＳ９０で否定判断した場合には、ステップＳ１００へ進む。
【００３３】
ステップＳ１００では、サブＣＰＵ１０７は、ＧＰＳモジュール１１０を起動してから所定のタイムアウト時間が経過したか否かを判断する。ステップＳ１００で否定判断した場合には、ステップＳ９０へ戻る。一方、ステップＳ１００で肯定判断した場合には、ステップＳ１２０へ進む。ステップＳ１２０では、サブＣＰＵ１０７は、ＧＰＳ通信のタイムアウト回数を数えるためのカウンタに１を加算して（カウントアップして）、ステップＳ２０へ戻る。
【００３４】
次に、図４を用いて、ステップＳ２０における電源オフフラグ設定処理について説明する。ステップＳ２１において、サブＣＰＵ１０７は、図２に示したメニュー項目のＧＰＳ情報更新設定２ｆが「する」の場合の更新方法が「手動」と「自動」のいずれに設定されているかを判断する。
【００３５】
ステップＳ２１で「自動」に設定されていると判断した場合には、ステップＳ２２へ進み、サブＣＰＵ１０７は、無線受信回路１１１が上述した通信禁止電波を受信しているか否かを判断する。ステップＳ２２で肯定判断した場合には、ステップＳ２３へ進み、サブＣＰＵ１０７は、電源オフフラグをセットした後、図２に示す処理に復帰する。これに対して、ステップＳ２２で否定判断した場合には、ステップＳ２４へ進み、サブＣＰＵ１０７は、電源オフフラグをクリアした後、図２に示す処理に復帰する。
【００３６】
一方、ステップＳ２１で「手動」に設定されていると判断した場合には、ステップＳ２５へ進み、サブＣＰＵ１０７は、現在の時刻が、図２に示したメニューの「禁止時間設定」で設定された時間内であるか否かを判断する。ステップＳ２５で肯定判断した場合には、ステップＳ２６へ進み、サブＣＰＵ１０７は、電源オフフラグをセットした後、図２に示す処理に復帰する。これに対して、ステップＳ２５で否定判断した場合には、ステップＳ２７へ進み、サブＣＰＵ１０７は、電源オフフラグをクリアした後、図２に示す処理に復帰する。
【００３７】
以上説明した本実施の形態によれば、以下のような作用効果を得ることができる。
（１）サブＣＰＵ１０７は、ＧＰＳ情報の更新方法が「自動」に設定されている場合には、通信禁止電波を受信している間は、ＧＰＳモジュール１１０への電源供給を禁止するようにした。これによって、カメラ１００が電波の発信が禁止されている場所にある間は、ＧＰＳモジュール１１０が自動的にＧＰＳ情報を取得するのを防ぐことができ、ＧＰＳ情報の取得に際して発する電波によって周囲に悪影響を及ぼすことを防ぐことができる。
【００３８】
（２）サブＣＰＵ１０７は、ＧＰＳ情報の更新方法が「手動」に設定されている場合には、通信禁止電波を受信している間は、「禁止時間設定」で設定されたＧＰＳ情報の取得を禁止する期間内は、ＧＰＳモジュール１１０への電源供給を禁止するようにした。これによって、使用者によってあらかじめ設定された期間中は、ＧＰＳモジュール１１０が自動的にＧＰＳ情報を取得するのを防ぐことができ、ＧＰＳ情報の取得に際して発する電波によって周囲に悪影響を及ぼすことを防ぐことができる。
【００３９】
（３）サブＣＰＵ１０７は、カメラ１００の電源オフ中に、通信禁止電波を受信している間または「禁止時間設定」で設定された期間は、ＧＰＳ情報の自動更新のタイミングになってもＧＰＳモジュール１１０への電源供給を禁止するようにした。これによって、ＧＰＳ情報の自動更新をするように設定されている場合でも、電波の発信が禁止されている場所でＧＰＳモジュール１１０が自動的に起動して電波を発してしまうことを防ぐことができる。
【００４０】
―変形例―
なお、上述した実施の形態のカメラは、以下のように変形することもできる。
（１）上述した実施の形態では、カメラ１００の電源オフ中に、通信禁止電波を受信している間または「禁止時間設定」で設定された期間は、ＧＰＳ情報の自動更新のタイミングになってもＧＰＳモジュール１１０への電源供給を禁止する例について説明した。この場合、通信禁止電波を受信している間または「禁止時間設定」で設定された期間中に使用者によって操作部材１０８が操作されてカメラ１００の電源がオンされた場合には、サブＣＰＵ１０７は、ＧＰＳモジュール１１０への電源供給は禁止したまま、他の構成要素に対して電源回路１０９からの電源の供給を開始して、カメラ１００を動作させるようにすればよい。これによって、電波の発信が禁止されている場所では、カメラ１００の電源がオンされてもＧＰＳモジュール１１０は起動しないようにして、ＧＰＳモジュール１１０が電波を発してしまうことを防ぐことができる。
【００４１】
（２）上述した実施の形態では、ＧＰＳモジュール１１０を搭載したカメラ１００に本発明を適用する例について説明した。しかしながら、ＧＰＳモジュールを搭載し、一定時間ごとにＧＰＳ情報を取得して、現在位置を自動的に検出する他の電子機器、例えばＧＰＳ機能付きの携帯電話やパソコン等にも本発明は適用可能である。
【００４２】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４３】
１００  カメラ、１０１  レンズ、１０２  ＣＣＤ、１０３  ＡＥＦ／ＴＧ、１０４  メインＣＰＵ、１０５  メモリ、１０６  表示部、１０７  サブＣＰＵ、１０８  操作部材、１０９  電源回路、１１０  ＧＰＳモジュール、１１１  無線受信回路
【図１】
2010278881.tif 000003
【図２】
2010278881.tif 000004
【図３】
2010278881.tif 000005
【図４】
2010278881.tif 000006